【手続補正書】
【提出日】平成16年10月14日(2004.10.14)
【手続補正１】
【補正対象書類名】明細書
【補正対象項目名】特許請求の範囲
【補正方法】変更
【補正の内容】
【特許請求の範囲】
【請求項１】  アクセスターミナルとアクセスネットワークとの間の接続を確立する方法において、
アクセスプローブの第１の部分をアクセスネットワークに送信し、
しきい値に対する第１の部分の比較後にアクセスネットワークから高速アクセスインジケータチャネル上で高速アクセスインジケータを受信し、
高速アクセスインジケータに基づいて、高速接続リバーストラフィックチャネル信号をアクセスターミナルからネットワークに送信すること含み、
トラフィックチャネル信号はデータレート制御情報を含む方法。
【請求項２】  高速アクセスインジケータは１ビットである請求項１記載の方法。
【請求項３】  予め定められた高速アクセスインジケータウォルシュコードを使用して高速アクセスインジケータをデカバーすることをさらに含む請求項１記載の方法。
【請求項４】  ３２チップの持続時間を有する予め定められた高速アクセスインジケータウォルシュコードを使用して高速アクセスインジケータをデカバーすることをさらに含む請求項１記載の方法。
【請求項５】  ６４チップの持続時間を有する予め定められた高速アクセスインジケータウォルシュコードを使用して高速アクセスインジケータをデカバーすることをさらに含む請求項１記載の方法。
【請求項６】  予め定められた高速接続リバーストラフィックチャネルウォルシュカバーを使用してデータレート制御情報をカバーすることをさらに含む請求項１記載の方法。
【請求項７】  データレート制御情報に基づくデータレートでアクセスネットワークから受信されたトラフィックチャネル割当メッセージをデコードすることをさらに含む請求項１記載の方法。
【請求項８】  データレート制御情報に基づくデータレートでアクセスネットワークから受信されたアクセスプローブ肯定応答メッセージをデコードすることをさらに含む請求項１記載の方法。
【請求項９】  データレート制御情報に基づくデータレートでアクセスネットワークからリバーストラフィックチャネル肯定応答メッセージを受信することをさらに含む請求項１記載の方法。
【請求項１０】  データレート制御情報に基づくデータレートでアクセスネットワークから組み合わされたメッセージを受信することをさらに含み、組み合わされたメッセージはトラフィックチャネル割当メッセージ、アクセスプローブ肯定応答メッセージおよびリバーストラフィックチャネル肯定応答メッセージを含む請求項１記載の方法。
【請求項１１】  アクセスプローブの第１の部分は時差的に配置されている複数の高速アクセスチャネルの第１の高速アクセスチャネル上で送信され、高速アクセスインジケータは第１の部分の直後の高速アクセスインジケータスロット中で送信される請求項１記載の方法。
【請求項１２】  アクセスプローブの第１の部分は複数の高速アクセスチャネルの第１の高速アクセスチャネル上で送信され、複数の高速アクセスチャネルのそれぞれは異なるＰＮロングコードを使用し、高速アクセスインジケータは第１の高速アクセスチャネルのタイミングに基づいて識別される請求項１記載の方法。
【請求項１３】  システム時間値に基づくロングコードマスクを有するＰＮロングコードを使用してアクセスプローブの第１の部分をカバーすることをさらに含む請求項１記載の方法。
【請求項１４】  アクセスターミナルとアクセスネットワークとの間の接続を確立する方法において、
アクセスプローブの第１の部分をアクセスネットワークに送信し、
しきい値に対する第１の部分の比較後にアクセスネットワークから高速アクセスインジケータチャネル上で高速アクセスインジケータを受信し、
データレート制御情報を含むトラフィックチャネル信号をアクセスネットワークに送信し、
データレート制御情報に基づくデータレートでトラフィックチャネル割当メッセージをアクセスネットワークから受信することを含む方法。
【請求項１５】  予め定められた高速接続リバーストラフィックチャネルウォルシュカバーを使用してデータレート制御情報をカバーすることをさらに含む請求項１４記載の方法。
【請求項１６】  トラフィックチャネル割当メッセージは、アクセスプローブ肯定応答メッセージをさらに含む１つのフォワードリンクメッセージで受信され、１つのフォワードリンクメッセージはデータレート制御情報に基づくデータレートで受信される請求項１４記載の方法。
【請求項１７】  トラフィックチャネル割当メッセージは、リバーストラフィックチャネル肯定応答メッセージをさらに含む１つのフォワードリンクメッセージで受信され、１つのフォワードリンクメッセージはデータレート制御情報に基づくデータレートで受信される請求項１４記載の方法。
【請求項１８】  トラフィックチャネル割当メッセージはリバーストラフィックチャネル肯定応答メッセージとアクセスプローブ肯定応答メッセージをさらに含む１つのフォワードリンクメッセージで受信され、１つのフォワードリンクメッセージはデータレート制御情報に基づくデータレートで受信される請求項１４記載の方法。
【請求項１９】  データレート制御情報に基づくデータレートでアクセスネットワークから受信されたアクセスプローブ肯定応答メッセージをデコードすることをさらに含む請求項１４記載の方法。
【請求項２０】  データレート制御情報に基づくデータレートでアクセスネットワークからリバーストラフィックチャネル肯定応答メッセージを受信することをさらに含む請求項１４記載の方法。
【請求項２１】  高速アクセスプローブプリアンブルをアクセスターミナルからアクセスネットワークに送信し、
アクセスネットワークから高速アクセスインジケータチャネル上で高速アクセスプローブプリアンブルに対応する高速アクセスインジケータを受信することをさらに含む請求項１４記載の方法。
【請求項２２】  高速アクセスインジケータは１ビットである請求項２１記載の方法。
【請求項２３】  予め定められた高速アクセスインジケータウォルシュコードを使用して高速アクセスインジケータをデカバーすることをさらに含む請求項２１記載の方法。
【請求項２４】  ３２チップの持続時間を有する予め定められた高速アクセスインジケータウォルシュコードを使用して高速アクセスインジケータをデカバーすることをさらに含む請求項２１記載の方法。
【請求項２５】  ６４チップの持続時間を有する予め定められた高速アクセスインジケータウォルシュコードを使用して高速アクセスインジケータをデカバーすることをさらに含む請求項２１記載の方法。
【請求項２６】  アクセスプローブプリアンブルは時差的に配置されている複数の高速アクセスチャネルの第１の高速アクセスチャネル上で送信され、高速アクセスインジケータは第１の部分の直後の高速アクセスインジケータスロット中で送信される請求項２１記載の方法。
【請求項２７】  アクセスプローブプリアンブルは複数の高速アクセスチャネルの第１の高速アクセスチャネル上で送信され、複数の高速アクセスチャネルのそれぞれは異なるＰＮロングコードを使用し、高速アクセスインジケータは第１の高速アクセスチャネルのタイミングに基づいて識別される請求項２１記載の方法。
【請求項２８】  システム時間値に基づくロングコードマスクを有するＰＮロングコードを使用してアクセスプローブプリアンブルをカバーすることをさらに含む請求項２１記載の方法。
【請求項２９】  アクセスターミナルとアクセスネットワークとの間の接続を確立する方法において、
アクセスターミナルからアクセスプローブの第１の部分を受信し、
アクセスプローブの第１の部分を検出し、
しきい値に対してアクセスプローブの第１の部分を比較し、
アクセスネットワークから高速アクセスインジケータを送信し、
アクセスターミナルからデータレート制御情報を受信し、
データレート制御情報に基づくデータレートでトラフィックチャネル割当メッセージをアクセスターミナルに送信することを含む方法。
【請求項３０】  高速アクセスインジケータは１ビットである請求項２９記載の方法。
【請求項３１】  予め定められた高速アクセスインジケータウォルシュコードを使用して高速アクセスインジケータをカバーすることをさらに含む請求項２９記載の方法。
【請求項３２】  ３２チップの持続時間を有する予め定められた高速アクセスインジケータウォルシュコードを使用して高速アクセスインジケータをカバーすることをさらに含む請求項２９記載の方法。
【請求項３３】  ６４チップの持続時間を有する予め定められた高速アクセスインジケータウォルシュコードを使用して高速アクセスインジケータをカバーすることをさらに含む請求項２９記載の方法。
【請求項３４】  予め定められた高速接続リバーストラフィックチャネルウォルシュカバーを使用してデータレート制御情報をデカバーすることをさらに含む請求項２９記載の方法。
【請求項３５】  データレート制御情報に基づくデータレートでアクセスプローブ肯定応答メッセージをアクセスターミナルに送信することをさらに含む請求項２９記載の方法。
【請求項３６】  データレート制御情報に基づくデータレートでリバーストラフィックチャネル肯定応答メッセージをアクセスターミナルに送信することをさらに含む請求項２９記載の方法。
【請求項３７】  トラフィックチャネル割当メッセージは、リバーストラフィックチャネル肯定応答メッセージとアクセスプローブ肯定応答メッセージをさらに含む１つのフォワードリンクメッセージで送信され、１つのフォワードリンクメッセージはデータレート制御情報に基づくデータレートで送信される請求項２９記載の方法。
【請求項３８】  アクセスプローブの第１の部分は時差的に配置されている複数の高速アクセスチャネルの第１の高速アクセスチャネル上で受信され、高速アクセスインジケータは第１の部分の直後の高速アクセスインジケータスロット中で送信される請求項２９記載の方法。
【請求項３９】  複数の高速アクセスチャネルの第１の高速アクセスチャネルを逆拡散し、複数の高速アクセスチャネルのそれぞれは異なるＰＮロングコードを使用し、アクセスプローブの第１の部分は第１の高速アクセスチャネル上で受信される請求項２９記載の方法。
【請求項４０】  システム時間値に基づくロングコードマスクを有するＰＮロングコードを使用してアクセスプローブの第１の部分を逆拡散することをさらに含む請求項２９記載の方法。
【請求項４１】  アクセスターミナルとアクセスネットワークとの間の接続を確立する方法において、
アクセスターミナルからアクセスプローブの第１の部分を受信し、
アクセスプローブの第１の部分を検出し、
しきい値に対してアクセスプローブの第１の部分を比較し、
アクセスネットワークから高速アクセスインジケータを送信し、
アクセスターミナルからデータレート制御情報を受信し、
データレート制御情報に基づくデータレートで、組み合わされたメッセージをアクセスターミナルに送信することを含み、
組み合わされたメッセージはトラフィックチャネル割当メッセージ、アクセスプローブ肯定応答メッセージおよびリバーストラフィックチャネル肯定応答メッセージを含む方法。
【請求項４２】  高速アクセスインジケータは１ビットである請求項４１記載の方法。
【請求項４３】  予め定められた高速アクセスインジケータウォルシュコードを使用して高速アクセスインジケータをカバーすることをさらに含む請求項４１記載の方法。
【請求項４４】  ３２チップの持続時間を有する予め定められた高速アクセスインジケータウォルシュコードを使用して高速アクセスインジケータをカバーすることをさらに含む請求項４１記載の方法。
【請求項４５】  ６４チップの持続時間を有する予め定められた高速アクセスインジケータウォルシュコードを使用して高速アクセスインジケータをカバーすることをさらに含む請求項４１記載の方法。
【請求項４６】  予め定められた高速接続リバーストラフィックチャネルウォルシュカバーを使用してデータレート制御情報をデカバーすることをさらに含む請求項４１記載の方法。
【請求項４７】  アクセスプローブの第１の部分は、時差的に配置されている複数の高速アクセスチャネルの第１の高速アクセスチャネル上で受信され、高速アクセスインジケータは第１の部分の直後の高速アクセスインジケータスロット中で送信される請求項４１記載の方法。
【請求項４８】  複数の高速アクセスチャネルの第１の高速アクセスチャネルを逆拡散することをさらに含み、複数の高速アクセスチャネルのそれぞれは異なるＰＮロングコードを使用し、アクセスプローブの第１の部分は第１の高速アクセスチャネル上で受信される請求項４１記載の方法。
【請求項４９】  システム時間値に基づくロングコードマスクを有するＰＮロングコードを使用してアクセスプローブの第１の部分を逆拡散することをさらに含む請求項４１記載の方法。
【請求項５０】  システム時間信号を発生させるように構成されたシステム時間プロセッサと、
システム時間信号に基づくロングコードマスクを使用して第１のＰＮロングコードを発生させるように構成されたＰＮロングコード発生器と、
第１のＰＮロングコードによりアクセスチャネルプローブ信号を乗算するように構成されたＰＮ拡散器とを具備するアクセスターミナル装置。
【請求項５１】  予め定められた高速接続リバーストラフィックチャネルウォルシュカバーによりデータレート制御信号を乗算して、カバーされたデータレート制御信号を生成するように構成されたミキサをさらに具備し、
ＰＮ拡散器は第２のＰＮロングコードにより、カバーされたデータレート制御信号を拡散するようにさらに構成されている請求項５０記載の装置。
【請求項５２】  第１のＰＮロングコードは複素ＰＮロングコードであり、ＰＮ拡散器はアクセスチャネルプローブ信号によるＰＮロングコードの複素乗算を実行するように構成されている請求項５０記載の装置。
【請求項５３】  高速アクセスインジケータ信号を高速アクセスインジケータウォルシュカバーと混合し、カバーされた高速アクセスインジケータ信号を生成するように構成されたミキサと、
ＰＮコードにより、カバーされた高速アクセスインジケータ信号を乗算するように構成されたＰＮ拡散器とを具備するアクセスネットワーク装置。
【請求項５４】  少なくとも１つのリバース電力制御ウォルシュカバーにより少なくとも１つのリバース電力制御信号を乗算するように構成された少なくとも１つのミキサをさらに具備し、
少なくとも１つのリバース電力制御ウォルシュカバーのそれぞれは、他のリバース電力制御ウォルシュカバーのそれぞれと直交し、
少なくとも１つのリバース電力制御ウォルシュカバーのそれぞれは高速アクセスインジケータウォルシュカバーと直交する請求項５３記載の装置。
【請求項５５】  高速アクセスインジケータ信号の利得を調整するように構成された利得ブロックをさらに具備する請求項５３記載の装置。
【請求項５６】  バイナリ信号を＋１および−１にマッピングして、高速アクセスインジケータ信号を生成するように構成された信号ポイントマッピングユニットをさらに具備する請求項５３記載の装置。
【請求項５７】  ＰＮコードが複素ＰＮコードであり、
ＰＮ拡散器は高速アクセスインジケータ信号により複素ＰＮコードの複素乗算を実行するように構成されている請求項５３記載の装置。
【請求項５８】  アクセスプローブの第１の部分をアクセスネットワークに送信する手段と、
しきい値に対する第１の部分の比較後にアクセスネットワークから高速アクセスインジケータチャネル上で高速アクセスインジケータを受信する手段と、
高速アクセスインジケータに基づいて高速接続リバーストラフィックチャネル信号をアクセスターミナルからアクセスネットワークに送信する手段とを具備し、
高速接続リバーストラフィックチャネル信号はデータレート制御情報を含むアクセスターミナル装置。
【請求項５９】  アクセスターミナルからアクセスプローブの第１の部分を受信する手段と、
アクセスプローブの第１の部分を検出する手段と、
しきい値に対してアクセスプローブの第１の部分を比較する手段と、
アクセスネットワークから高速アクセスインジケータを送信する手段と、
アクセスターミナルからデータレート制御情報を受信する手段と、
データレート制御情報に基づくデータレートでトラフィックチャネル割当メッセージをアクセスターミナルに送信する手段とを具備するアクセスネットワーク装置。